(57)【要約】【課題】この発明の目的は、計測量を常に明瞭に表示出来、表示量を容易に正確に記録装置に入力可能とし計測量記録作業効率を向上出来る、安価な計測量表示機構、この計測量表示機構を備えた計測計、流量計、質量流量計及びエネルギー量計を提供することである。【解決手段】計測量表示機構１０は、計測量に応じ回転する複数の回転表示部材１２ａ，１２ｂ，１２ｃ，１２ｄ、夫々の回転表示部材の外周面の周方向に相互に離間した複数の位置の相互に異なるバーコード１４、を備える。計測計は、量を計測する計測手段と、計測量を表示する計測量表示機構１０と、を備える。流量計及び質量流量計は、流量又は質量流量を計測する流量又は質量流量計測手段と、計測された流量又は質量流量を表示する計測量表示機構１０と、を備える。エネルギー量計は、エネルギー量を計測するエネルギー量計測手段と、計測されたエネルギー量を表示する計測量表示機構１０と、を備える。【選択図】図１
2007172140.tif 000002
【特許請求の範囲】
【請求項１】
計測された量に応じて回転する複数の回転表示部材と、夫々の回転表示部材の外周面の周方向に相互に離間した複数の位置に配置された相互に異なるバーコードと、を備えたことを特徴とする計測量表示機構。
【請求項２】
夫々の回転表示部材の外周面の周方向に相互に離間した複数の位置に相互に異なる数字が記載されており、
夫々の回転表示部材の外周面においてこれら複数の数字の相互間に複数のバーコードが配置されている、
ことを特徴とする請求項１に記載の計測量表示機構。
【請求項３】
夫々の回転表示部材の外周面の周方向に相互に離間した複数の位置に相互に異なる数字が記載されており、
夫々の回転表示部材の外周面においてこれら複数の数字の上に、複数のバーコードが透明で所定の波長の光によってのみ読み取り可能な塗料により形成されている、
ことを特徴とする請求項１に記載の計測量表示機構。
【請求項４】
夫々の回転表示部材の外周面上で複数のバーコードは複数の数字に対応しており、複数のバーコードは対応する複数の数字に対し所定の回転角位置に配置されている、
ことを特徴とする請求項２又は３に記載の計測量表示機構。
【請求項５】
夫々の回転表示部材の外周面の複数のバーコードを、夫々の回転表示部材の外周面に対する所定の位置で読み取るバーコードリーダーをさらに備えており、
バーコードリーダーにはバーコードリーダーにより読み取られたバーコードのデータを記録する記録装置が着脱可能に接続される、
ことを特徴とする請求項１乃至４のいずれか１項に記載の計測量表示機構。
【請求項６】
量を計測する計測手段と、この計測手段により計測された量を表示する請求項１乃至５のいずれか１項に記載の計測量表示機構と、を備えたことを特徴とする計測計。
【請求項７】
流量を計測する流量計測手段と、この流量計測手段により計測された流量を表示する請求項１乃至５のいずれか１項に記載の計測量表示機構と、を備えたことを特徴とする流量計。
【請求項８】
エネルギー量を計測するエネルギー量計測手段と、このエネルギー量計測手段により計測されたエネルギー量を表示する請求項１乃至５のいずれか１項に記載に計測量表示機構と、を備えたことを特徴とするエネルギー量計。
【請求項９】
質量流量を計測する質量流量計測手段と、この質量流量計測手段により計測された質量流量を表示する請求項１乃至５のいずれか１項に記載に計測量表示機構と、を備えたことを特徴とする質量流量計。
【発明の詳細な説明】
【技術分野】
【０００１】
この発明は、計測された量を表示する計測量表示機構、この計測量表示機構を備えた計測計、この計測量表示機構を備えた流量計、この計測量表示機構を備えたエネルギー量計、そして、この計測量表示機構を備えた質量流量計に関係している。
【背景技術】
【０００２】
例えばガスや水道水の如き液体、或いは電力や熱の如きエネルギーを従量により売買する場合、供給されたガスや液体の流量又は質量流量或いは供給されたエネルギー量を計測し、計測された流量や質量流量やエネルギー量を表示する計測量表示機構を備えた流量計や質量流量計やエネルギー量計が使用されている。
【０００３】
夫々の外周面に０乃至９の数字が均等に記載されていて計測された流量や質量流量やエネルギー量に応じて回転する複数の回転表示部材を使用した計測量表示機構を備えた流量計や質量流量計やエネルギー量計が従来広く使用されている。例えば、供給され計測されたガス量を表示する流量計はガスメータとして、供給され計測された水道水量を表示する流量計は水道メータとして、供給され計測された電力量を表示するエネルギー量計は電力計として、そして供給され計測された熱量を表示するエネルギー量計は熱量計として知られている。さらに、単位時間或いは累積時間に供給され計測された種々の液体の質量を表示する流量計は質量流量計として知られている。
【０００４】
これら従来の流量計や質量流量計やエネルギー量計の計測量表示機構の複数の回転表示部材の夫々の外周面に記載されている数字が計測量表示パネルの窓に露出して表示している流量や質量流量やエネルギー量は、人が読み取り、読み取った流量や質量流量やエネルギー量を人が記録紙に記入するか、又は記録装置に入力している。しかしながら、読み取った流量や質量流量やエネルギー量を人が記録紙に記入する時、又は記録装置に入力する時、記入の誤りや入力の誤りが生じる。
【０００５】
また、流量計や質量流量計やエネルギー量計が設置されている場所や天候によっては、流量計や質量流量計やエネルギー量計の計測量表示パネルの窓に表示されている流量や質量流量やエネルギー量を人が読み取るのに手間が掛かって流量や質量流量やエネルギー量の記録作業の効率が低下する。
【０００６】
このような従来の流量計やエネルギー量計における問題を解消する為に、計測された流量やエネルギー量をバーコードで液晶表示装置により表示する計測量表示機構を備えた流量計が、特開平７−２２５８９０号公報に開示されている。
【特許文献１】特開平７−２２５８９０号公報
【発明の開示】
【発明が解決しようとする課題】
【０００７】
上記公報に開示されている流量計では、液晶表示装置により表示されるべきバーコードが液晶表示装置の電気系統の不調により明瞭に又は全く表示されなくなり、バーコード読み取り装置により読み取り不能になることがある。
【０００８】
また液晶表示装置は複数の回転表示部材を使用した前述した従来の計測量表示機構に比べると比較的高価であり、また電気系統の故障が多い。
【０００９】
さらに、液晶表示装置以外の種々の電気式又は電子式表示装置も、従来の流量計や質量流量計やエネルギー量計において広く使用されていて、液晶表示装置と同様の問題を抱えている。
【００１０】
この発明は上記事情の下でなされ、この発明の目的は、計測された量を常に明瞭に表示することが出来、しかも表示された量を容易に正確に記録装置に入力させることを可能にして計測量の記録作業の効率を向上させることが出来る、安価な計測量表示機構、このような計測量表示機構を備えた計測計、このような計測量表示機構を備えた流量計、このような計測量表示機構を備えたエネルギー量計、そして、このような計測量表示機構を備えた質量流量計を提供することである。
【課題を解決するための手段】
【００１１】
上述した目的を達成する為に、この発明に従った計測量表示機構は、計測された量に応じて回転する複数の回転表示部材と、夫々の回転表示部材の外周面の周方向に相互に離間した複数の位置に配置された相互に異なるバーコードと、を備えたことを特徴としている。
【００１２】
上述した目的を達成する為に、この発明に従った計測計は：量を計測する計測手段と、この計測手段により計測された量を表示するこの発明に従った上記計測量表示機構と、を備えたことを特徴としている。
【００１３】
上述した目的を達成する為に、この発明に従った流量計は：流量を計測する流量計測手段と、この流量計測手段により計測された流量を表示するこの発明に従った上記計測量表示機構と、を備えたことを特徴としている。
【００１４】
上述した目的を達成する為に、この発明に従ったエネルギー量計は：エネルギー量を計測するエネルギー量計測手段と、このエネルギー量計測手段により計測されたエネルギー量を表示するこの発明に従った上記計測量表示機構と、を備えたことを特徴としている。
【００１５】
上述した目的を達成する為に、この発明に従った質量流量計は：質量流量を計測する質量流量計測手段と、この質量流量計測手段により計測された質量流量を表示するこの発明に従った上記計測量表示機構と、を備えたことを特徴としている。
【発明の効果】
【００１６】
このように構成されたことを特徴とするこの発明に従った計測量表示機構では、計測された量に応じて回転する複数の回転表示部材の夫々の外周面の周方向に相互に離間した複数の位置に相互に異なるバーコードが配置されているので、複数の回転表示部材は計測された量を夫々の外表面に配置されているバーコードにより常に明瞭に表示することが出来る。
【００１７】
このように、相互に異なる複数のバーコードを複数の回転表示部材の夫々の外周面の周方向に相互に離間した複数の位置に配置させる作業は、例えば印刷等を利用して安価に実行可能である。
【００１８】
しかも、複数の回転表示部材の夫々の外周面に対する所定の位置で夫々の外周面上の複数のバーコードのいずれかをバーコードリーダーにより読み込めば、計測された量を人による入力作業を介在することなく容易に正確に記録装置に記録させることが可能であり、計測量の記録作業の効率を向上させることが出来る。
【００１９】
そして、このように構成されたことを特徴とするこの発明に従った計測量表示機構を備えたこの発明に従った計測計や流量計やエネルギー量計や質量流量計は、この発明に従った計測量表示機構により得ることが出来る上述した技術上の効果を当然ながら得ることが出来る。
【発明を実施するための最良の形態】
【００２０】
以下、この発明の一実施の形態に従った計測量表示機構を添付の図面を参照しながら詳細に説明する。
【００２１】
図１の（Ａ）及び（Ｂ）中に示されているこの発明の一実施の形態に従った計測量表示機構１０は、例えばガスや水道水の如き液体の流量や質量流量を計測し表示する流量計や質量流量計、或いは電力や熱の如きエネルギー量を計測し表示するエネルギー量計に備えられている。流量計は例えばガスや水道水の如き液体の流量を計測する公知の流量計測手段を備えており、質量流量計は種々の液体の単位時間又は累積時間に流れる質量を計測する公知の質量流量計測手段を備えており、エネルギー量計は例えば電力や熱量の如きエネルギー量を計測する公知のエネルギー量計測手段を備えている。
【００２２】
計測量表示機構１０は、流量計においては公知の流量計測手段により計測した例えばガスや水道水の如き液体の流量、質量流量計においては公知の質量流量計測手段により計測した種々の液体の質量流量、或いはエネルギー量計においては公知のエネルギー量計測手段により計測した例えば電力や熱の如きエネルギー量、に応じて回転する複数の回転表示部材１２ａ，１２ｂ，１２ｃ，１２ｄと、回転表示部材１２ａ，１２ｂ，１２ｃ，１２ｄの夫々の外周面の周方向に相互に均等に離間した複数の位置に配置された相互に異なるバーコード１４と、を備えている。
【００２３】
なお上述した流量又は質量流量或いはエネルギー量は、予め設定した所定の単位時間当たりの量であることが出来るし、計測開始時点からの積算した量であることが出来る。
【００２４】
回転表示部材１２ａ，１２ｂ，１２ｃ，１２ｄの夫々の外周面にはさらに、複数のバーコード１４の相互間に複数の相互に異なる数字１６が配置されている。これら複数の数字１６もまた、回転表示部材１２ａ，１２ｂ，１２ｃ，１２ｄの夫々の外周面の周方向に相互に均等に離間した複数の位置に配置されている。
【００２５】
複数の回転表示部材１２ａ，１２ｂ，１２ｃ，１２ｄは相互に同軸に相互に独立して回転可能に配置されていて、この実施の形態では４つ使用されている。複数の回転表示部材１２ａ，１２ｂ，１２ｃ，１２ｄの夫々は同径の長さの短い円柱形状をしており、所定の回転方向に計測された量、この実施の形態では上述した如く計測された流量やエネルギー量、に応じた回転角度だけ順次回転する。第１の回転表示部材１２ａが１回転するとその隣の第２の回転表示部材１２ａは１０分の１回転し、第２の回転表示部材１２ｂが１回転するとその隣の第３の回転表示部材１２ｃは１０分の１回転し、さらに第３の回転表示部材１２ｃが１回転するとその隣の第４の回転表示部材１２ｄは１０分の１回転する。即ち、第１の回転表示部材１２ａが１０００回転するとその隣の第２の回転表示部材１２ａは１００回転し、その隣の第３の回転表示部材１２ｃは１０回転し、さらにその隣の第４の回転表示部材１２ｄは１回転する。
【００２６】
複数の回転表示部材１２ａ，１２ｂ，１２ｃ，１２ｄは格納容器１８中に収容されていて、格納容器１８の所定の位置、例えば正面、には、複数の回転表示部材１２ａ，１２ｂ，１２ｃ，１２ｄの回転中心線１３の延出方向に回転中心線１３に対し平行に延出した覗き窓１８ａが形成されている。覗き窓１８ａは透明な覆いにより覆われている。
【００２７】
格納容器１８中にはさらに、種々の電気部品或いは電子部品が搭載された基板２０も格納されている。基板２０のこれら種々の電気部品或いは電子部品には、複数の回転表示部材１２ａ，１２ｂ，１２ｃ，１２ｄの夫々の複数のバーコード１４を読み取るために上記夫々の直下に配置されている光源２２及び受光素子２４の組み合わせの４対が含まれている。この実施の形態において光源２２は発光素子（Light Emitting Diode）であり、光源２２及び受光素子２４の組み合わせの４対は一次元配列である。
【００２８】
基板２０上で４対の光源２２及び受光素子２４は、図２中に示されているように、中央演算素子（Central Processing Unit）２６に接続されている。中央演算素子２６では、４対の光源２２及び受光素子２４により複数の回転表示部材１２ａ，１２ｂ，１２ｃ，１２ｄの外周面の夫々の下端に位置するバーコード１４から読み取られたバーコードデータが対応する情報データに変換され、この対応する情報データには対応する数字情報が含まれている。
【００２９】
即ち、この実施の形態において、４対の光源２２及び受光素子２４と中央演算素子２６とは、回転表示部材１２ａ，１２ｂ，１２ｃ，１２ｄの夫々の外周面の複数のバーコード１４を、回転表示部材１２ａ，１２ｂ，１２ｃ，１２ｄの夫々の外周面に対する所定の位置で読み取るバーコードリーダー２７を構成している。
【００３０】
基板２０上でバーコードリーダー２７の中央演算素子２６には、内蔵電池２８及びインターフェース３０が接続されている。中央演算素子２６はさらに外部電源接続端子３２を有している。
【００３１】
外部電源接続端子３２及びインターフェース３０の外部接続端子３０ａには、計測量表示機構１０の格納容器１８の外部から図示しない外部電源及び記録装置を着脱可能に接続することが出来る。記録装置はバーコードリーダー２７により読み取られたバーコード１４のデータを記録する。
【００３２】
この実施の形態に従った計測量表示機構１０では、内蔵電池２８はバーコード１４を読み取る際に外部から給電されない時にのみ使用されるので、計測量表示機構１０の比較的長期間にわたる定期検査間隔の間に消耗されることがなく、したがってその電気容量を小さく、即ち内蔵電池２８の外形寸法を小さく、設定することが出来る。
【００３３】
この実施の形態に従った計測量表示機構１０により表示されている計測された量、この実施の形態では流量又は質量流量或いはエネルギー量、を、上述した図示しない記録手段により記録する時、基板２０の外部電源接続端子３２及びインターフェース３０の外部接続端子３０ａに、計測量表示機構１０の格納容器１８の外部から図示しない外部電源及び記録装置を接続する。バーコードリーダー２７の４対の光源２２及び受光素子２４と中央演算素子２６は、図示しない外部電源から供給される電気により駆動され、回転表示部材１２ａ，１２ｂ，１２ｃ，１２ｄの夫々の外周面の下端のバーコード１４から対応するバーコードデータを読み取り、読み取られたバーコードデータから対応する数字情報を含む情報データに変換し、対応する数字情報を含む情報データをインターフェース３０を介して図示しない記録装置に送信して上記計測された量として記録させる。
【００３４】
このとき、図示しない外部電源により内蔵電池２８を充電するよう基板２０上の電気回路を構成することも出来る。
【００３５】
複数の回転表示部材１２ａ，１２ｂ，１２ｃ，１２ｄの夫々の外周面に配置されている複数の数字１６は０乃至９の数字番号であり、複数のバーコード１４は０乃至９の数字番号に対応する数字情報を含む。
【００３６】
これら複数の数字１６及び複数のバーコード１４は、図３中に示されている如く、複数の回転表示部材１２ａ，１２ｂ，１２ｃ，１２ｄの夫々の外周面の円周長さと幅に等しい長さと幅とを有し上記外周面上に貼り付けられている台紙３２上に所定の配列に従って印刷されている。しかしながら、これら複数の数字１６及び複数のバーコード１４は、上記外周面上に上記所定の配列に従い直接印刷することも出来る。
【００３７】
図３において複数のバーコード１４に隣接して丸括弧によりくくられている数字は、隣接するバーコード１４に含まれる数字情報を示している。
【００３８】
複数の数字１６及び複数のバーコード１４に関する上記所定の配列は、複数の回転表示部材１２ａ，１２ｂ，１２ｃ，１２ｄの夫々の外周面において同じである。
【００３９】
上記所定の配列では、複数の回転表示部材１２ａ，１２ｂ，１２ｃ，１２ｄの夫々において、測定した量、この実施の形態では流量又は質量流量或いはエネルギー量、の増加にともない回転する方向ＲＤとは逆の方向に複数の数字１６の０乃至９が順次配列されているとともに複数のバーコード１４がそれが含む０乃至９の数字情報に従い順次配列されており、しかも、複数のバーコード１４はそれが含む０乃至９の数字情報が複数の数字１６の０乃至９の中の対応する数字番号に対し所定の回転角位置αに配置されている。所定の回転角位置αは、複数の回転表示部材１２ａ，１２ｂ，１２ｃ，１２ｄの中心線１３を中心にした格納容器１８の覗き窓１８ａと格納容器１８中の基板２０の光源２２及び受光素子２４の夫々の対との間の回転角位置により決まる。
【００４０】
従って、この実施の形態では、上記所定の回転角位置αは上記回転する方向に９０度であり、その結果として、図１の（Ａ）及び（Ｂ）中に示されている格納容器１８の覗き窓１８ａに対向している複数の数字１６の０乃至９の中のいずれか１つ、例えば０、と同じ数字情報、例えば０、を含むバーコード１４が、上記外周面の下端で対応する１対の光源２２及び受光素子２４に対向する。
【００４１】
そして、前述した如く、流量計測手段又は質量流量計測手段或いはエネルギー量計測手段により計測され計測量表示機構１０により表示された量を上述した図示しない記録手段により記録する時には、回転表示部材１２ａ，１２ｂ，１２ｃ，１２ｄの夫々の外周面の複数の数字１６の数字番号の中で、バーコードリーダー２７の４対の光源２２及び受光素子２４と中央演算素子（Central Processing Unit）２６により回転表示部材１２ａ，１２ｂ，１２ｃ，１２ｄの夫々の外周面の下端のバーコード１４から読み取られたバーコードデータに含まれる数字情報に対応した数字番号が、図１の（Ａ）及び（Ｂ）中に示されている格納容器１８の覗き窓１８ａに対向しているので、バーコードリーダー２７によりバーコード１４から読み取られた数字情報が示している上記計測された量を、格納容器１８の覗き窓１８ａを介して視覚によっても確認することが出来る。
【００４２】
なお当然のことながら、流量計測手段又は質量流量計測手段或いはエネルギー量計測手段により計測され計測量表示機構１０により表示された量を上述した図示しない記録手段により記録しない時でも、格納容器１８の覗き窓１８ａを覗けば、その時点における上記計測された量を、覗き窓１８ａに対向している回転表示部材１２ａ，１２ｂ，１２ｃ，１２ｄの夫々の外周面の複数の数字１６の数字番号のいずれかにより視覚により知ることが出来る。
【００４３】
回転表示部材１２ａ，１２ｂ，１２ｃ，１２ｄの夫々の外周面の複数のバーコード１４は、図４中に拡大して示されているように、上記外周面の幅方向に沿い所定の数に分割された所定の数のビットと呼ばれる領域を有しており、これら所定の数のビットを所定の配列で黒白表示することにより所定のバーコードを構成する。
【００４４】
図５中に拡大して示されているように、個々のバーコード１４は、上記外周面の幅方向に沿い７つに分割されたビットｂ１，ｂ２，ｂ３，ｂ４，ｂ５，ｂ６，ｂ７を有している。
【００４５】
一端の第１のビットｂ１はバーコード読み取りのスタート位置を示すのに使用され、他端の第７のビットｂ７はバーコード読み取りのストップ位置を示すのに使用される。この実施の形態では、第１のビットｂ１及び第７のビットｂ７の夫々は白色にされている。
【００４６】
第２のビットｂ２乃至第５のビットｂ５は、所定の配列で白色又は黒色にされることにより０乃至９の数字番号に対応される。そして第６のビットｂ６は、パリティチェックと呼ばれている奇数偶数検査に使用され、第２のビットｂ２乃至第５のビットｂ５の白色又は黒色にされている数が奇数であるか偶数であるかを示している。
【００４７】
バーコードリーダー２７（図２参照）によりバーコード１４の読み取りが行われた時に、第２のビットｂ２乃至第５のビットｂ５の白色又は黒色にされている数の奇数又は偶数と第６のビットｂ６において白色又は黒色により示されている奇数又は偶数の表示とが一致しなければ、そのバーコード１４の読み取りに誤りがあったとして、バーコードリーダー２７（図２参照）にバーコード１４の再読み取りを行わせる。
【００４８】
この実施の形態では、第６のビットｂ６は偶数表示を意味する時に黒色に、奇数表示を意味する時に白色にされている。
【００４９】
図４からは、複数のバーコード１４の夫々の第２のビットｂ２乃至第５のビットｂ５がどのような白色黒色配列にされている時に丸括弧で囲われた０乃至９のいずれの数字番号に対応しているかがわかり、さらに複数のバーコード１４の夫々の第２のビットｂ２乃至第５のビットｂ５の中の黒色にされている数が奇数であれば第６のビットｂ６が白色にされていて、複数のバーコード１４の夫々の第２のビットｂ２乃至第５のビットｂ５の中の黒色にされている数が偶数であれば第６のビットｂ６が黒色にされていることが分かる。
【００５０】
図６には、複数のバーコード１４の夫々の第１ビットｂ１乃至第７ビットｂ７、特に第２のビットｂ２乃至第５のビットｂ５、がどのような白色黒色配列にされている時に１０進法で使用される０乃至９のいずれの数字番号に対応するかが、また第２のビットｂ２乃至第５のビットｂ５の黒色にされている数の奇数と偶数に対応して第６のビットｂ６が白色又は黒色にされているかが容易に分かる表を図示している。ここにおいて０は白色に、１は黒色にされていることを意味する。
【００５１】
ここに示されているバーコード１４の白色黒色配列による数字表現は、周知のいわゆる２進化１０進数の変換原理に従っている。
【００５２】
上述した実施の形態において複数の回転表示部材１２ａ，１２ｂ，１２ｃ，１２ｄの夫々の複数のバーコード１４は、複数の回転表示部材１２ａ，１２ｂ，１２ｃ，１２ｄの夫々の外周面の下端の下方において格納容器１８中に配置されているバーコードリーダー２７により読みとられていたが、格納容器１８の下面に透明部材で覆われていることが出来るバーコード読み取り窓を形成し、このバーコード読み取り窓を介して、バーコードリーダーと組み合わされた図示しない記録手段により外部から複数の回転表示部材１２ａ，１２ｂ，１２ｃ，１２ｄの夫々の外周面の下端に位置するバーコード１４を読み込むようにすることも出来る。
【００５３】
さらに、複数の回転表示部材１２ａ，１２ｂ，１２ｃ，１２ｄの夫々の複数の数字１６において格納容器１８の覗き窓１８ａに対向した数字１６の数字番号に対応した数字番号を意味する数字情報を含むバーコード１４が格納容器１８の外表面の所定の位置に対向するようにし、この所定の場所に透明部材で覆われていることが出来るバーコード読み取り窓を形成すれば、このバーコード読み取り窓を介して、バーコードリーダーと組み合わされた図示しない記録手段により外部から、複数の回転表示部材１２ａ，１２ｂ，１２ｃ，１２ｄの夫々の外周面において格納容器１８の外表面の所定の位置に対向するバーコード１４を読み込むことができる。
【００５４】
また、上述した実施の形態において複数の回転表示部材１２ａ，１２ｂ，１２ｃ，１２ｄの夫々の複数のバーコード１４は複数の数字１６の相互間に白黒配列により配置されていたが、これら複数の数字１６の上に、複数のバーコード１４を透明で所定の波長の光、例えば赤外線、によってのみ読み取り可能な塗料により形成することも出来る。
【００５５】
この場合、複数のバーコード１４のバーコード情報に含まれる数字情報の意味する数字番号と複数のバーコード１４がその上に形成されている複数の数字１６の数字番号とを一致させれば、格納容器１８の覗き窓１８ａを介して上記所定の波長の光を光源から発生するように構成されたバーコードリーダーと組み合わされた図示しない記録手段により外部から、複数の回転表示部材１２ａ，１２ｂ，１２ｃ，１２ｄの夫々の外周面において格納容器１８の覗き窓１８ａに対向するバーコード１４を読み込むことができる。
【００５６】
複数の回転表示部材１２ａ，１２ｂ，１２ｃ，１２ｄの夫々の外周面上において複数の数字１６の上に透明で所定の波長の光、例えば赤外線や紫外線、によってのみ読み取り可能な塗料により形成される複数のバーコード１４のバーコード情報に含まれる数字情報の意味する数字番号は、その下の数字１６の数字番号と異なっていても良いが、複数の回転表示部材１２ａ，１２ｂ，１２ｃ，１２ｄの夫々の外周面上において格納容器１８の覗き窓１８ａに対向した数字１６の数字番号に対応した数字番号を意味する数字情報を含むバーコード情報を示すバーコード１４は、覗き窓１８ａに対向した数字１６から、複数の回転表示部材１２ａ，１２ｂ，１２ｃ，１２ｄの夫々の回転中心線１３の周りの所定の回転角位置に形成するとともに、格納容器１８において上記所定の回転角位置に対向する部分にバーコード読み取り窓を形成し、このバーコード読み取り窓を介して上記所定の波長の光を光源から発生するように構成されたバーコードリーダーと組み合わされた図示しない記録手段により外部から、複数の回転表示部材１２ａ，１２ｂ，１２ｃ，１２ｄの夫々の外周面において格納容器１８の上記所定の回転角位置のバーコード読み取り窓に対向するバーコード１４を読み込むことができる。
【００５７】
いずれにせよ、複数の回転表示部材１２ａ，１２ｂ，１２ｃ，１２ｄの夫々の外周面において複数の数字１６の上に透明で所定の波長の光、例えば赤外線や紫外線、によってのみ読み取り可能な塗料により複数のバーコード１４を形成することにより、上記外周面上に記載する複数の数字１６の数字番号の寸法を大きくすることが出来るし、複数の数字１６の数字番号の上に形成する複数のバーコード１４の寸法も大きくすることが出来る。
【００５８】
或いは、複数の回転表示部材１２ａ，１２ｂ，１２ｃ，１２ｄの夫々の外周面に記載する複数の数字１６や複数のバーコード１４の夫々の個数を増加させることを可能にする。
【００５９】
なお上述した実施の形態の説明では、計測量表示機構１０は例えばガスや水道水の如き液体の流量を計測する流量計又は質量流量を計測する質量流量計或いは例えば電力や熱量の如きエネルギー量を計測するエネルギー量計に備えられていたが、これらガスや水道水の如き液体の流量又は質量流量或いは電力や熱量の如きエネルギー量以外の種々の量を計測する計測手段と組み合わされて、この計測手段により計測された種々の量を表示するために使用することが出来る。
【００６０】
そして、ここで計測手段により計測される量は個数や回数であっても良い。このような個数や回数の例としては、複写機における複写の使用回数や歩数計において計測された歩数や例えばペットボトルや種々の容器の本数や個数であることが出来る。或いは、例えばトラックの荷物積載重量や生物を含む種々の物体の重量であることも出来る。さらに、計測量表示機構１０により表示される量は、計測手段により単位時間当たりに計測された量であることが出来るし、計測手段により単位時間当たりに計測された量の積算量であることが出来る。
【図面の簡単な説明】
【００６１】
【図１】（Ａ）は、この発明の一実施の形態に従った計測量表示機構の概略的な正面図であり；そして、（Ｂ）は、（Ａ）に示されている計測量表示機構の概略的な断面図である。
【図２】図１の（Ａ）及び（Ｂ）に概略的に示されている計測量表示機構に備えられているバーコードリーダーの構成を概略的に示す図である。
【図３】図１の（Ａ）に概略的に示されている計測量表示機構の複数の回転表示部材の夫々の外周面上において周方向に相互に離間した複数の位置に配置されている相互に異なる複数のバーコードと上記外周面上で上記複数のバーコードの間に配置されている相互に異なる複数の数字との位置関係を示す図である。
【図４】図３中に示されている複数のバーコードと複数の数字とを拡大して示す図である。
【図５】図４中に示されている複数のバーコードの夫々の７ビットによる構成を示す図である。
【図６】図５中に示されている７ビット構成のバーコードによる０から９までの数の表現を示す図である。
【符号の説明】
【００６２】
１０…計測量表示機構，１２ａ，１２ｂ，１２ｃ，１２ｄ…回転表示部材，１３…回転中心線，１４…バーコード、１６…数字、１８…格納容器、１８ａ…覗き窓、２０…基板、２２…光源、２４…受光素子、２６…中央演算素子、２７…バーコードリーダー、２８…内蔵電池、３０…インターフェース、３０ａ…外部接続端子、３２…外部電源接続端子
【図１】
2007172140.tif 000003
【図２】
2007172140.tif 000004
【図３】
2007172140.tif 000005
【図４】
2007172140.tif 000006
【図５】
2007172140.tif 000007
【図６】
2007172140.tif 000008